(57)【特許請求の範囲】
【請求項１】
シートが搬送される搬送経路と、
前記搬送経路に沿って、搬送方向へシートを搬送する搬送部と、
前記搬送経路に沿う位置に配設され、前記搬送部によって搬送されるシートから画像を読み取る読取部と、を有し、
前記読取部は、
画像を読み取る読取面を前記搬送経路側に有するイメージセンサと、
前記搬送経路側が開放された凹状に形成され、前記イメージセンサを内部に収納するセンサ収納部と、
前記イメージセンサの読取面よりも前記搬送経路側において、前記センサ収納部の開口部を閉塞する平板状のガラス部材と、
前記センサ収納部の開口縁の内、前記搬送方向上流側に位置する上流開口縁、及び前記搬送方向下流側に位置する下流開口縁の一方において、前記ガラス部材の端縁と前記シートの搬送方向において対向し、前記搬送経路側に延出した壁面と、
前記センサ収納部の開口縁の内、前記上流開口縁、及び前記下流開口縁の他方において、前記ガラス部材と接触することによって、ガラス部材の端縁を前記壁面に対して密着させるガラス保持部材と、を有し、
前記ガラス保持部材は、前記センサ収納部の開口部を前記ガラス部材によって閉塞する際に、ガラス部材との接触に伴って塑性変形することによって、ガラス部材の端縁を前記壁面に対して密着させるガラス保持リブである
ことを特徴とする画像読取装置。
【請求項２】
請求項１記載の画像読取装置であって、
前記壁面は、前記センサ収納部の開口縁の前記上流開口縁において、前記ガラス部材の端縁と前記シートの搬送方向において対向し、
前記ガラス保持部材は、前記センサ収納部の開口縁の前記下流開口縁において、前記ガラス部材と接触することによって、ガラス部材の端縁を前記壁面に対して密着させる
ことを特徴とする画像読取装置。
【請求項３】
シートが搬送される搬送経路と、
前記搬送経路に沿って、搬送方向へシートを搬送する搬送部と、
前記搬送経路に沿う位置に配設され、前記搬送部によって搬送されるシートから画像を読み取る読取部と、を有し、
前記読取部は、
画像を読み取る読取面を前記搬送経路側に有するイメージセンサと、
前記搬送経路側が開放された凹状に形成され、前記イメージセンサを内部に収納するセンサ収納部と、
前記イメージセンサの読取面よりも前記搬送経路側において、前記センサ収納部の開口部を閉塞する平板状のガラス部材と、
前記センサ収納部の開口縁の内、前記搬送方向上流側に位置する上流開口縁と、上流開口縁と対向する下流開口縁において、前記ガラス部材の端縁と密着するシール部と、を 
有し、
前記シール部は、
樹脂によって形成され、前記上流開口縁及び前記下流開口縁に沿い、且つ、前記搬送経路側へ延出すると共に、前記シートの搬送方向において、前記ガラス部材の端縁と密着するシール壁と、
前記センサ収納部に対して、前記シール壁よりも外側において、前記シール壁の基端部に沿って形成された溝部と、を有する
ことを特徴とする画像読取装置。
【請求項４】
請求項３記載の画像読取装置であって、
前記シール壁は、弾性変形可能な樹脂により形成され、弾性変形に伴う付勢力を前記ガラス部材の端面に対して作用させることにより、前記シートの搬送方向において、前記ガラス部材の端縁と密着する
ことを特徴とする画像読取装置。
【請求項５】
請求項３記載の画像読取装置であって、
前記シール壁は、塑性変形可能な樹脂により形成され、前記センサ収納部の開口部を前記ガラス部材によって閉塞する際に、ガラス部材との接触に伴って塑性変形することにより、前記シートの搬送方向において、前記ガラス部材の端縁と密着する
ことを特徴とする画像読取装置。
【請求項６】
請求項３乃至請求項５の何れかに記載の画像読取装置であって、
前記ガラス部材は、
前記下流開口縁におけるシール壁に対して、前記ガラス部材の端縁を前記搬送方向上流側から押し当てつつ、前記搬送方向上流側に位置するガラス部材の端縁を、前記上流開口縁におけるシール壁に接触させることにより、前記センサ収納部の開口部を閉塞するように取り付けられる
ことを特徴とする画像読取装置。
【請求項７】
請求項１乃至請求項６の何れかに記載の画像読取装置であって、
前記ガラス部材における搬送方向上流側の端縁は、ガラス部材における搬送方向下流側よりも前記搬送経路側に位置する
ことを特徴とする画像読取装置。 
【発明の詳細な説明】
【技術分野】
【０００１】
本発明は、センサ収納部に収納されたイメージセンサによって、コンタクトガラスを介して、イメージセンサと対向するシートの画像を読み取る画像読取装置に関する。
【背景技術】
【０００２】
従来、画像読取装置においては、イメージセンサが、一面側が開放された箱状に形成された収納部内に配設されている。収納部の開口部は、コンタクトガラスにより閉塞されている。イメージセンサが、コンタクトガラスを介して、イメージセンサと対向するシートに対して、光を照射する。画像読取装置は、シートからの反射光を受光することにより、シートの画像を読み取るように構成されている。
【０００３】
そして、このような画像読取装置では、シート由来の紙粉等の異物が、収納部の開口縁とコンタクトガラスの端縁の間から、収納部内に進入してしまう場合がある。そして、異物が収納部内に進入してしまうと、イメージセンサによる画像の読取を阻害し、画像読取装置における画像の読取品質を低下させてしまう。
【０００４】
この点に鑑みて為された画像読取装置に関する発明として、特許文献１記載の発明が知られている。特許文献１記載の画像読取装置は、原稿が搬送される搬送経路に沿うように配設されたコンタクトガラスと、コンタクトガラスを介して、搬送経路を搬送される原稿の画像を読み取るＣＣＤ等を含む光学ユニットを有して構成されている。そして、特許文献１記載の画像読取装置において、コンタクトガラスは、その端縁に沿ったガイド部材の支持部によって支持固定されている。支持部は、コンタクトガラスの一端縁全体に渡って、その上面がコンタクトガラスの下面と略平行となるように、ガイド部材から突出して形成されている。支持部は、コンタクトガラスを下面側から支持する。支持部の上面には、溝状に形成された凹部が形成されている。コンタクトガラスとの隙間を介して進入した紙粉等の異物が凹部内に貯留され、光学系ユニット側への異物の進入が抑制される。
【先行技術文献】
【特許文献】
【０００５】
【特許文献１】特開２０１０−２１９９５２号公報
【発明の概要】
【発明が解決しようとする課題】
【０００６】
上述したように、特許文献１記載の画像読取装置においては、紙粉等の異物を支持部に形成された凹部に貯留することにより、光学系ユニットに対する異物の進入を抑制している。しかしながら、凹部に一度貯留された異物が凹部から漏れ出てしまうと、光学系ユニットに進入してしまう。従って、特許文献１記載の画像読取装置の場合、支持部の自由端側において、支持部の上面とコンタクトガラスの下面とを十分に密着させる必要がある。特許文献１においては、支持部の上面とコンタクトガラスの下面との密着性を高める為に何等の措置も講じられておらず、紙粉等の異物が凹部から光学系ユニットへ進入してしまうおそれがある。このように、従来の画像読取装置では、センサ収容部に対する異物の進入を抑制することができなかった。
【０００７】
本発明は、センサ収納部に収納されたイメージセンサによって、コンタクトガラスを介して、イメージセンサと対向するシートの画像を読み取る画像読取装置に関し、センサ収納部に対する異物の進入を抑制可能な画像読取装置を提供する。
【課題を解決するための手段】
【０００８】
本発明の一側面に係る画像読取装置は、搬送経路と、搬送部と、読取部とを有し、搬送部によって、前記搬送経路に沿って、搬送方向へシートを搬送しつつ、前記搬送経路に沿う位置に配設された読取部によって、シートから画像を読み取る。読取部は、読取面を前記搬送経路側に有するイメージセンサと、搬送経路側が開放された凹状に形成され、前記イメージセンサを内部に収納するセンサ収納部と、センサ収納部の開口部を閉塞する平板状のガラス部材と、壁面と、ガラス保持部材を有している。壁面は、前記センサ収納部の開口縁の内、上流開口縁、及び下流開口縁の一方において、前記ガラス部材の端縁と前記シートの搬送方向において対向し、前記搬送経路側に延出している。そして、ガラス保持部材は、前記センサ収納部の開口縁の内、前記上流開口縁、及び前記下流開口縁の他方において、前記ガラス部材と接触することによって、ガラス部材の端縁を前記壁面に対して密着させる。従って、画像読取装置によれば、ガラス保持部材によって、ガラス部材の端縁を壁面に対して密着させることにより、紙粉等の異物がガラス部材と壁面の間を介してセンサ収納部内に進入することを抑制しうる。
又、当該画像読取装置において、前記ガラス保持部材は、ガラス保持リブであり、前記センサ収納部の開口部を前記ガラス部材によって閉塞する際に、ガラス部材との接触に伴って塑性変形することによって、ガラス部材の端縁を前記壁面に対して密着させる。従って、画像読取装置によれば、ガラス部材をセンサ収納部の開口部に取り付けると同時に、ガラス保持リブを塑性変形させて、ガラス部材の端縁を壁面に対して密着させることができる。よって、紙粉等の異物がガラス部材と壁面の間を介してセンサ収納部内に進入することを抑制しうる。
【００１１】
そして、本発明の他の側面に係る画像読取装置であって、前記壁面は、前記センサ収納部の前記上流開口縁において、前記ガラス部材の端縁と前記シートの搬送方向において対向し、前記ガラス保持部材は、前記センサ収納部の前記下流開口縁において、前記ガラス部材と接触することによって、ガラス部材の端縁を前記壁面に対して密着させる。従って、画像読取装置によれば、センサ収納部における上流開口縁において、ガラス部材の端縁を壁面に対して押圧して密着させることができる。よって、紙粉等の異物が上流開口縁を介してセンサ収納部内に進入することを抑制しうる。
【００１２】
又、本発明の他の側面に係る画像読取装置は、搬送経路と、搬送部と、読取部とを有し、搬送部によって、前記搬送経路に沿って、搬送方向へシートを搬送しつつ、前記搬送経路に沿う位置に配設された読取部によって、シートから画像を読み取る。読取部は、読取面を前記搬送経路側に有するイメージセンサと、搬送経路側が開放された凹状に形成され、前記イメージセンサを内部に収納するセンサ収納部と、センサ収納部の開口部を閉塞する平板状のガラス部材と、シール部を有している。シール部は、シール壁と、溝部とを有しており、前記センサ収納部の上流開口縁と下流開口縁において、前記ガラス部材の端縁と密着する。シール壁は、樹脂によって形成され、前記上流開口縁及び前記下流開口縁に沿い、且つ、前記搬送経路側へ延出すると共に、前記シートの搬送方向において、前記ガラス部材の端縁と密着する。溝部は、前記センサ収納部に対して、前記シール壁よりも外側において、前記シール壁の基端部に沿って形成されている。従って、画像読取装置によれば、センサ収納部における上流開口縁及び下流開口縁におけるシール部において、シール壁とガラス部材の端縁を密着させることができる。よって、紙粉等の異物がセンサ収納部内に進入することを抑制しうる。
【００１３】
そして、本発明の他の側面に係る画像読取装置であって、前記シール壁は、弾性変形可能な樹脂により形成され、弾性変形に伴う付勢力を前記ガラス部材の端面に対して作用させることにより、前記シートの搬送方向において、前記ガラス部材の端縁と密着する。従って、画像読取装置によれば、弾性変形に伴う付勢力によって、シール壁とガラス部材の端縁とを密着させることができる。よって、上流開口縁及び下流開口縁におけるシール部において、シール壁とガラス部材の端縁とを密着させることができる。従って、紙粉等の異物がセンサ収納部内に進入することを抑制しうる。
【００１４】
又、本発明の他の側面に係る画像読取装置であって、前記シール壁は、塑性変形可能な樹脂により形成され、前記センサ収納部の開口部を前記ガラス部材によって閉塞する際に、ガラス部材との接触に伴って塑性変形することにより、前記シートの搬送方向において、前記ガラス部材の端縁と密着する。従って、画像読取装置によれば、ガラス部材をセンサ収納部の開口部に取り付けると同時に、シール壁を塑性変形させて、ガラス部材の端縁をシール壁に対して密着させることができる。よって、紙粉等の異物がセンサ収納部内に進入することを抑制しうる。
【００１５】
又、本発明の他の側面に係る画像読取装置であって、前記ガラス部材は、前記下流開口縁におけるシール壁に対して、前記ガラス部材の端縁を前記搬送方向上流側から押し当てつつ、前記搬送方向上流側に位置するガラス部材の端縁を、前記上流開口縁におけるシール壁に接触させることにより、前記センサ収納部の開口部を閉塞するように取り付けられる。従って、画像読取装置によれば、下流開口縁のシール壁を基準として、ガラス部材をセンサ収納部の開口部に取り付けるので、下流開口縁におけるシール壁に対して、ガラス部材の端縁を密着させることができる。よって、紙粉等の異物がセンサ収納部内に進入することを抑制しうる。
【００１６】
そして、本発明の他の側面に係る画像読取装置であって、前記ガラス部材における搬送方向上流側の端縁は、ガラス部材における搬送方向下流側よりも前記搬送経路側に位置する。従って、画像読取装置によれば、上流開口縁側のシール壁に対して、ガラス部材の端縁を押し付けやすい構成となり、上流開口縁において、ガラス部材とシール壁の密着性を高めることができる。これにより、画像読取装置は、上流開口縁側におけるセンサ収納部内への異物の進入を適切に抑制しうる。
【図面の簡単な説明】
【００１７】
【図１】本発明の第１実施形態に係る画像読取装置１の構成を示す側断面図である。
【図２】上記画像読取装置１の画像読取部３０の構成を示す説明図である。
【図３】上記画像読取部３０の構成を示す平面図である。
【図４】図３におけるＩ−Ｉ断面の側断面図である。
【図５】第２実施形態に係る画像読取部３０の構成を示す平面図である。
【図６】図５におけるＩＩ−ＩＩ断面の側断面図である。
【図７】第３実施形態に係る画像読取部３０の構成を示す平面図である。
【図８】図７におけるＩＩＩ−ＩＩＩ断面の側断面図である。
【図９】第４実施形態に係る画像読取部３０の構成を示す平面図である。
【図１０】図９におけるＩＶ−ＩＶ断面の側断面図である。
【発明を実施するための形態】
【００１８】
以下、本発明に係る画像読取装置を、画像読取部３０を有する画像読取装置１に具体化した実施形態について、図面を参照しつつ詳細に説明する。
【００１９】
（第１実施形態）
先ず、画像読取装置１の概略構成について、図１を参照しつつ詳細に説明する。尚、以下の説明においては、画像読取装置１が使用可能に設置された状態を基準として、図１に示す上下方向及び左右方向を定義する。図１における紙面手前側を前方、紙面奥側を後方として定義して説明する。
【００２０】
図１に示すように、画像読取装置１は、上部カバー５と、本体筐体６０とを有している。上部カバー５は、本体筐体６０上面の後端縁を軸に開閉自在に配設されており、その左側部分に、ＡＤＦ（Auto Document Feeder）ユニット１０を備えている。ＡＤＦユニット１０は、画像読取部３０によって原稿の画像を読み取るために、原稿を所定の原稿搬送経路Ｒに沿って搬送するユニットである。ＡＤＦユニット１０の構成については、後に図面を参照しつつ詳細に説明する。
【００２１】
そして、本体筐体６０は、画像読取装置１におけるスキャナ機能を実現するための各種構成部品を、本体筐体６０内部に収容している。具体的には、本体筐体６０は、その上部にスキャナユニット７０を有している。スキャナユニット７０は、原稿の画像を読み取る。スキャナユニット７０の構成については、後に図面を参照しつつ詳細に説明する。
【００２２】
ここで、上部カバー５は、本体筐体６０上面の後端縁を軸に開閉自在に配設されている。上部カバー５は、図１に示すように、上部カバー５が閉じられた場合に本体筐体６０上面、即ち、スキャナユニット７０の上面を覆う。従って、上部カバー５が閉じられた場合、上部カバー５は、スキャナユニット７０の読取対象としてセットされた原稿をその位置に固定しうる。
【００２３】
そして、本体筐体６０は、画像読取装置１の制御の中枢を担う制御部を収容している。制御部は、ＣＰＵ、ＲＯＭ、ＲＡＭ等を有しており、画像読取装置１の各機能に係る制御を担う。従って、制御部は、ＡＤＦユニット１０、スキャナユニット７０等を制御することにより、画像読取装置１におけるスキャナ機能を実現する。
【００２４】
次に、画像読取装置１におけるＡＤＦユニット１０の構成について、図面を参照しつつ詳細に説明する。図１に示すように、ＡＤＦユニット１０は、原稿載置部１５と、原稿搬送経路Ｒと、原稿搬送機構部２０と、駆動モータＭと、画像読取部３０とを主に備える。ＡＤＦユニット１０は、原稿載置部１５に載置された原稿を所定の原稿搬送経路Ｒに沿って搬送し、画像読取部３０によって、搬送途中の原稿から画像を読み取る。
【００２５】
原稿載置部１５は、上部カバー５の左右方向における中央部分に形成された平面である。ＡＤＦユニット１０による搬送対象である原稿は、その長辺が左右方向に沿った状態で原稿載置部１５に載置される。つまり、原稿は、短辺が画像読取装置１の前後方向に沿った状態で原稿載置部１５に載置される。原稿載置部１５は、原稿搬送経路Ｒにおいて、ＡＤＦユニット１０の下方に位置する一端部に沿って形成されている。
【００２６】
原稿載置部１５の上方には、仕切板１６が、原稿載置部１５との間に一定の間隔を隔てて形成されている。仕切板１６は、ＡＤＦユニット１０内部において、上方部分と下方部分とを区分する仕切りとして機能する。又、仕切板１６の上面には、ＡＤＦユニット１０によって搬送された原稿が積層される。
【００２７】
そして、原稿載置部１５の左側であって、前記仕切板１６の下方には、ガイド部材１７が配設されている。ガイド部材１７は、原稿搬送経路Ｒにおいて、ＡＤＦユニット１０の下部を左右方向に延びる部分を、その下面によって構成する。又、ガイド部材１７は、原稿搬送経路Ｒの一部を構成する下面に、画像読取部３０を構成する第１センサ収納部４０を有している。
【００２８】
原稿搬送経路Ｒは、画像読取装置１の左右方向に沿って、原稿載置部１５からガイド部材１７の下面に沿って延びている。原稿搬送経路Ｒは、仕切板１６表面を接続するように、ＡＤＦユニット１０内部に形成されている。原稿搬送経路Ｒは、Ｕターン経路Ｒｕを有している。上述したように、原稿は、原稿載置部１５において、原稿の長辺が画像読取装置１の左右方向に沿って載置されている。原稿は、画像読取装置１の左右方向に沿って延びる原稿搬送経路Ｒに従って搬送される。従って、原稿は、その短辺が画像読取装置１の前後方向に沿った状態で、原稿搬送経路Ｒ上を搬送される。
【００２９】
図１に示すように、Ｕターン経路Ｒｕは、ＡＤＦユニット１０内のガイド部材１７よりも左側部分に、側面視略Ｕ字状に形成されている。Ｕターン経路Ｒｕは、原稿載置部１５から左方向に向かって搬送された原稿の搬送方向を１８０度変換しつつ、仕切板１６表面に導くための経路である。従って、Ｕターン経路Ｒｕは、原稿搬送経路Ｒの内、上部カバー５における最も左側に位置する。尚、本実施形態においては、原稿載置部１５表面から原稿搬送経路Ｒに沿って仕切板１６へ向かう方向を原稿の搬送方向という。
【００３０】
そして、原稿搬送機構部２０は、ＡＤＦユニット１０において、原稿載置部１５に載置された原稿を、給紙・搬送する為の機構部である。原稿搬送機構部２０は、駆動モータＭの駆動力が伝達されることにより、原稿を原稿搬送経路Ｒに沿って搬送方向下流側へ搬送する。
【００３１】
原稿搬送機構部２０は、原稿供給ローラ２１、原稿接触部材２１Ａ、原稿分離ローラ２２、分離パッド２３、原稿搬送ローラ対２４、メインローラ２５、第１従動ローラ２６、及び第２従動ローラ２７を有している。原稿供給ローラ２１は、原稿載置部１５の搬送方向下流側において原稿搬送経路Ｒを搬送される原稿の下面に沿う位置に回転自在に支持されている。原稿供給ローラ２１は、駆動モータＭの駆動により、原稿載置部１５に載置された原稿を搬送方向下流側へ搬送する。
【００３２】
原稿接触部材２１Ａは、原稿搬送経路Ｒを介して、原稿供給ローラ２１と対向する位置に揺動自在に配設されている。原稿接触部材２１Ａは、原稿供給ローラ２１上に位置する原稿の上面と接触している。原稿接触部材２１Ａは、原稿載置部１５に積載された原稿を、原稿供給ローラ２１に押圧する。又、原稿接触部材２１Ａは、原稿の分離を円滑に行うために、原稿を捌く機能を有する。
【００３３】
原稿分離ローラ２２は、原稿供給ローラ２１よりも搬送方向下流側において、原稿搬送経路Ｒを搬送される原稿の下面に沿う位置に回転自在に支持されている。原稿分離ローラ２２は、駆動モータＭの駆動に伴って回転する。そして、原稿分離ローラ２２は、分離パッド２３と協働することで、一枚の原稿のみを分離して搬送方向下流側へ搬送する。
【００３４】
分離パッド２３は、所定の可撓性及び摩擦係数を有する材料で構成された薄板状の部材である。分離パッド２３は、原稿接触部材２１Ａよりも搬送方向下流側において、原稿搬送経路Ｒを介して、原稿分離ローラ２２と対向する位置に配設されている。そして、分離パッド２３は、原稿分離ローラ２２上に位置する原稿の上面に接触するように配設されている。分離パッド２３は、原稿に摩擦力を付与することによって、原稿分離ローラ２２と協働して、原稿を一枚ずつに分離する。
【００３５】
原稿搬送ローラ対２４は、原稿分離ローラ２２及び分離パッド２３よりも搬送方向下流側において、原稿搬送経路Ｒを介して相互に対向する位置に回転自在に支持されている。原稿搬送ローラ対２４の内、原稿搬送経路Ｒの上部に位置するローラは、駆動モータＭの駆動力によって回転駆動する。原稿搬送経路Ｒの下部に位置するローラは、対向するローラの回転に伴って従動する。原稿搬送ローラ対２４は、原稿分離ローラ２２等によって一枚ずつに分離された原稿を挟持しつつ回転する。これにより、原稿搬送ローラ対２４は、原稿を、原稿搬送経路Ｒに沿って搬送方向下流側に搬送する。
【００３６】
メインローラ２５は、原稿搬送経路Ｒを構成するＵターン経路Ｒｕに沿う位置に回転自在に支持されている。メインローラ２５は、駆動モータＭの駆動により回転駆動する。又、メインローラ２５の外周面は、Ｕターン経路Ｒｕの一部を構成する。メインローラ２５は、回転することによって、原稿搬送ローラ対２４から搬送された原稿を、Ｕターン経路Ｒｕに沿って搬送する。
【００３７】
第１従動ローラ２６は、メインローラ２５の下側において、原稿搬送経路Ｒ、即ち、Ｕターン経路Ｒｕを介して対向する位置に回転可能に支持されている。第１従動ローラ２６は、メインローラ２５の回転に伴って従動する。又、第２従動ローラ２７は、メインローラ２５の上側において、原稿搬送経路Ｒ、即ち、Ｕターン経路Ｒｕを介して対向する位置に回転可能に支持されている。第２従動ローラ２７は、メインローラ２５の回転に伴って従動する。従って、原稿は、メインローラ２５、第１従動ローラ２６、及び第２従動ローラ２７の回転によって、Ｕターン経路Ｒｕに従って搬送される。
【００３８】
駆動モータＭは、ＡＤＦユニット１０における原稿の搬送に関する駆動源である。駆動モータＭは、制御部の制御に従って駆動する。図１に示すように、駆動モータＭは、その一部が本体筐体６０側に突出するように配設されている。従って、画像読取装置１は、上部カバー５の内部、即ち、ＡＤＦユニット１０の内部に、駆動モータＭ全体を収納する場合と比較して、上部カバー５の厚み、即ち、上下方向の寸法を小さくしうる。
【００３９】
図１に示すように、画像読取部３０は、原稿搬送ローラ対２４よりも搬送方向下流側であり、且つ、メインローラ２５及び第１従動ローラ２６よりも搬送方向上流側において、原稿搬送経路Ｒに沿った位置に配設されている。図２に示すように、第１実施形態に係る画像読取部３０は、イメージセンサ３１と、ガラス部材３２と、スプリング３３と、スペーサ３４と、第１センサ収納部４０とを有する。画像読取部３０は、原稿搬送経路Ｒに沿って搬送される原稿から画像を読み取る。画像読取部３０及び第１センサ収納部４０の構成については、後に図面を参照しつつ詳細に説明する。
【００４０】
続いて、画像読取装置１における本体筐体６０の構成について、図面を参照しつつ詳細に説明する。図１に示すように、本体筐体６０上面には、凹部６１が、上部カバー５における駆動モータＭの配設位置に対応する部分に、下方に凹んだ凹状に形成されている。凹部６１は、上部カバー５を閉じた場合に、上部カバー５の下方に突出する駆動モータＭの一部を収容する。これにより、画像読取装置１は、上部カバー５における駆動モータＭの配設位置及び凹部６１との協働により、画像読取装置１の上下方向におけるサイズを小型化することができる。
【００４１】
図１に示すように、本体筐体６０は、上面側にスキャナユニット７０を有している。スキャナユニット７０は、図２等に示すように、原稿載置台として機能するコンタクトガラス７１、読取センサ７２、スライド軸、及びモータ等を備えている。コンタクトガラス７１は、所謂「プラテンガラス」である。コンタクトガラス７１は、本体筐体６０の左右方向に沿って長辺が位置するＡ４サイズよりもやや大きな長方形状に形成されている。
【００４２】
読取センサ７２は、所謂、密着型イメージセンサ（ＣＩＳ：Contact Image Sensor）により構成される。読取センサ７２は、コンタクトガラス７１上に位置する原稿の画像を読み取る。読取センサ７２は、主走査方向、即ち、本体筐体６０における前後方向がＡ４サイズの短辺に相当する長さの読取範囲を有している。読取センサ７２は、本体筐体６０の左右方向に向かって伸びるスライド軸によって、左右方向の一定の範囲、即ちＡ４サイズの長辺寸法に相当する範囲内をスライド移動可能に保持されている。従って、画像読取装置１は、制御部によるモータの駆動制御に基づいて、読取センサ７２をスライド軸に沿ってスライド移動しつつ、コンタクトガラス７１上に載置された原稿の画像を読み取りうる。
【００４３】
次に、第１実施形態に係る画像読取部３０の構成について、図２〜図４を参照しつつ詳細に説明する。図２に示すように、第１実施形態に係る画像読取部３０は、イメージセンサ３１と、ガラス部材３２と、スプリング３３と、スペーサ３４と、ガイド部材１７に形成された第１センサ収納部４０とを有している。
【００４４】
上述したように、第１センサ収納部４０は、ガイド部材１７の下面に形成されており、イメージセンサ３１をその内部に収納する。第１センサ収納部４０は、原稿搬送経路Ｒ側に位置する下面側に開口部を有する凹状に形成されている。第１センサ収納部４０は、画像読取装置１の前後方向に沿って、Ａ４サイズの短辺よりもやや長い寸法の長辺を有している。
【００４５】
そして、イメージセンサ３１は、読取センサ７２と同様に、所謂、密着型イメージセンサにより構成される。イメージセンサ３１は、第１センサ収納部４０の下方における原稿搬送経路Ｒを搬送される原稿の画像を読み取る。イメージセンサ３１は、その一面側に撮像素子等が配設された読取面３１Ａを有している。イメージセンサ３１は、主走査方向、即ち、本体筐体６０における前後方向がＡ４サイズの短辺に相当する長さを有している。図２、及び図３に示すように、イメージセンサ３１は、読取面３１Ａが下方となる態様で、第１センサ収納部４０内に収納される。即ち、イメージセンサ３１の読取面３１Ａは、原稿搬送経路Ｒに面している。
【００４６】
ガラス部材３２は、コンタクトガラス７１と同様に、所謂「プラテンガラス」として機能する。ガラス部材３２は、第１センサ収納部４０の開口部を閉塞し、第１センサ収納部４０の内部を密閉する。尚、第１センサ収納部４０の開口部を閉塞するために、ガラス部材３２を密着保持する構成については後述する。
【００４７】
図２に示すように、スプリング３３は、第１センサ収納部４０内部において、第１センサ収納部４０とイメージセンサ３１の間に配設される。スプリング３３は、イメージセンサ３１を原稿搬送経路Ｒ側に付勢する。そして、スペーサ３４は、第１センサ収納部４０の両端部において、ガラス部材３２とイメージセンサ３１の読取面３１Ａの間に位置する。スペーサ３４は、イメージセンサ３１の読取面３１Ａを、原稿搬送経路Ｒから一定の距離に維持する。
【００４８】
続いて、第１センサ収納部４０の開口部に対して、ガラス部材３２を取り付ける構成について、図２〜図４を参照しつつ詳細に説明する。尚、以下の説明において、センサ収納部の開口部の内、原稿搬送経路Ｒを搬送される原稿の搬送方向上流側、即ち画像読取装置１における右側の開口縁を上流開口縁という。センサ収納部の開口部の内、原稿の搬送方向下流側、即ち画像読取装置１における左側の開口縁を下流開口縁という。
【００４９】
図２〜図４に示すように、第１センサ収納部４０は、その開口部の上流開口縁に、壁部４１を有している。壁部４１は、図３に示すように、第１センサ収納部４０の上流開口縁に沿った壁状に形成されている。壁部４１は、図４に示すように、ガイド部材１７の下面から、原稿搬送経路Ｒ側へ突出している。
【００５０】
そして、第１センサ収納部４０の下流開口縁においては、取付凹部４２が、下流開口縁の両端側にあたる２か所に形成されている。取付凹部４２は、それぞれ、ガイド部材１７の下面を、平面視長方形の凹状に形成されており、後述するガラス保持部材４３が係合される。
【００５１】
図３、図４に示すように、ガラス保持部材４３は、取付凹部４２に取り付けられることで、ガラス部材３２を第１センサ収納部４０の開口部を閉塞する状態で保持する。ガラス保持部材４３は、樹脂により形成されている。ガラス保持部材４３は、当接部４３Ａと、付勢部４３Ｂとを有している。付勢部４３Ｂは、断面視円弧を描く板状に形成されている。付勢部４３Ｂは、取付凹部４２に対してはめ込まれることにより弾性変形する。当接部４３Ａは、図４に示すように、付勢部４３Ｂの一端側に形成されている。当接部４３Ａは、ガラス保持部材４３が取付凹部４２に取り付けられると、ガラス保持部材４３の端縁に当接する。
【００５２】
次に、第１センサ収納部４０の開口部に対して、ガラス部材３２を取り付ける際の作業手順を説明する。第１センサ収納部４０の開口部に対して、ガラス部材３２を取り付ける際には、作業者は、まず、第１センサ収納部４０の上流開口縁に位置する壁部４１に対して、搬送方向下流側から、ガラス部材３２の端縁を押し付ける。
【００５３】
第１センサ収納部４０の上流開口縁において、ガラス部材３２の端縁を壁部４１に押し付けた状態で、作業者は、ガラス保持部材４３を、取付凹部４２に取り付ける。この時、図４に示すように、ガラス保持部材４３の当接部４３Ａは、下流開口縁側に位置するガラス部材３２の端縁と接触している。
【００５４】
ここで、ガラス保持部材４３を取付凹部４２に取り付ける場合、取付凹部４２には、ガラス保持部材４３の付勢部４３Ｂがはめ込まれる。この時、付勢部４３Ｂは、その断面形状における円弧の頂点が、より第１センサ収納部４０の開口部に向かうようにたわみ変形する。この付勢部４３Ｂのたわみ変形に伴って、ガラス保持部材４３の当接部４３Ａは、下流開口縁におけるガラス部材３２の端縁と接触し、ガラス部材３２を搬送方向上流側へ押圧する。これにより、ガラス部材３２は、第１センサ収納部４０を閉塞し、ガラス部材３２の端縁が壁部４１と密着する。従って、第１実施形態に係る画像読取装置１によれば、第１センサ収納部４０における上流開口縁において、ガラス部材３２の端縁を壁部４１に対して押圧して密着させる。この密着により、紙粉等の異物が上流開口縁を介して第１センサ収納部４０内に進入することを抑制しうる。
【００５５】
又、第１センサ収納部４０においては、図４に示すように、上流開口縁における壁部４１の端部は、下流開口縁よりも原稿搬送経路Ｒ側に位置している。ガラス部材３２は、搬送方向下流側ほど下方となるように傾斜した態様で、第１センサ収納部４０の開口部を閉塞している。従って、第１実施形態に係る画像読取装置１によれば、上流開口縁側の壁部４１に対して、ガラス部材３２の端縁を押し付けやすい構成となる。よって、上流開口縁において、ガラス部材３２と壁部４１の密着性を高めることができる。これにより、画像読取装置１は、上流開口縁側における第１センサ収納部４０内への異物の進入を適切に抑制しうる。
【００５６】
（第２実施形態）
次に、上述した第１実施形態と異なる別の第２実施形態について、図面を参照しつつ詳細に説明する。尚、第２実施形態に係る画像読取装置１は、第１実施形態に係る画像読取装置１と同一の基本的構成を有しており、画像読取部３０におけるセンサ収納部の構成が相違する。従って、第１実施形態と同一の構成に関する説明は省略する。
【００５７】
図５、及び図６に示すように、第２実施形態に係る画像読取部３０は、イメージセンサ３１と、ガラス部材３２と、スプリング３３と、スペーサ３４と、ガイド部材１７に形成された第２センサ収納部４５と、を有する。尚、イメージセンサ３１、ガラス部材３２、スプリング３３、及びスペーサ３４については、上述した第１実施形態と基本的に同一の構成であるため、再度の説明は省略する。
【００５８】
続いて、第２センサ収納部４５の開口部に対して、ガラス部材３２を取り付ける構成について、図面を参照しつつ詳細に説明する。図５、及び図６に示すように、第２センサ収納部４５は、その開口部の上流開口縁に、第２壁部４６を有している。第２壁部４６は、図５に示すように、第２センサ収納部４５の上流開口縁に沿った壁状に形成されている。第２壁部４６は、図６に示すように、ガイド部材１７の下面から、原稿搬送経路Ｒ側へ突出している。
【００５９】
そして、第２センサ収納部４５の下流開口縁においては、ガラス保持リブ４７が、塑性変形可能な樹脂によって、下流開口縁に沿って形成されている。ガラス保持リブ４７は、図６に示すように、ガイド部材１７の下面から、原稿搬送経路Ｒ側へ突出している。ガラス保持リブ４７は、第２壁部４６と協働することにより、ガラス部材３２を保持しつつ、第２センサ収納部４５の開口部を閉塞する。
【００６０】
次に、第２センサ収納部４５の開口部に対して、ガラス部材３２を取り付ける際の作業手順を説明する。第２センサ収納部４５の開口部に対して、ガラス部材３２を取り付ける際には、作業者は、まず、第２センサ収納部４５の上流開口縁に位置する第２壁部４６に対して、搬送方向下流側から、ガラス部材３２の端縁を押し付ける。
【００６１】
第２センサ収納部４５の上流開口縁において、ガラス部材３２の端縁を第２壁部４６に押し付けた状態で、作業者は、搬送方向下流側に位置するガラス部材の端縁を、ガラス保持リブ４７にめり込ませつつ、第２センサ収納部４５の開口部を閉塞する。
【００６２】
ここで、ガラス保持リブ４７は、第２センサ収納部４５の開口部に対して、ガラス部材３２を取り付ける際に、搬送方向下流側におけるガラス部材３２の端縁と接触することによって塑性変形する。このガラス保持リブ４７の塑性変形により、ガラス部材３２は、搬送方向上流側へ押圧され、第２センサ収納部４５の上流開口縁において、ガラス部材３２の端縁は、第２壁部４６に対して密着する。
【００６３】
第２実施形態に係る画像読取装置１によれば、第２センサ収納部４５の上流開口縁において、ガラス部材３２の端縁と第２壁部４６を密着させうる。又、第２実施形態に係る画像読取装置１によれば、第２センサ収納部４５の下流開口縁において、ガラス部材３２の端縁とガラス保持リブ４７を密着させうる。従って、画像読取装置１によれば、第２センサ収納部４５の上流開口縁及び下流開口縁において、紙粉等の異物が第２センサ収納部４５内に進入することを抑制しうる。
【００６４】
図６に示すように、第２センサ収納部４５において、上流開口縁における第２壁部４６の端部は、下流開口縁におけるガラス保持リブ４７の端部よりも原稿搬送経路Ｒ側に位置している。ガラス部材３２は、搬送方向下流側ほど下方となるように傾斜した態様で、第２センサ収納部４５の開口部を閉塞している。従って、第２実施形態に係る画像読取装置１によれば、上流開口縁側の第２壁部４６に対して、ガラス部材３２の端縁を押し付けやすい構成となる。よって、上流開口縁において、ガラス部材３２と第２壁部４６の密着性を高めることができる。これにより、画像読取装置１は、上流開口縁側における第２センサ収納部４５内への異物の進入を適切に抑制しうる。
【００６５】
（第３実施形態）
続いて、上述した第１実施形態、及び第２実施形態と異なる別の第３実施形態について、図面を参照しつつ詳細に説明する。尚、第３実施形態に係る画像読取装置１は、第１実施形態、及び第２実施形態に係る画像読取装置１と同一の基本的構成を有しており、画像読取部３０におけるセンサ収納部の構成が相違する。従って、第１実施形態、第２実施形態と同一の構成に関する説明は省略し、これらの相違点についてのみ、図面を参照しつつ説明する。
【００６６】
図７、及び図８に示すように、第３実施形態に係る画像読取部３０は、イメージセンサ３１と、ガラス部材３２と、スプリング３３と、スペーサ３４と、ガイド部材１７に形成された第３センサ収納部５０と、を有する。尚、イメージセンサ３１、ガラス部材３２、スプリング３３、及びスペーサ３４については、上述した第１実施形態、及び第２実施形態と基本的に同一の構成であるため、再度の説明は省略する。
【００６７】
続いて、第３センサ収納部５０の開口部に対して、ガラス部材３２を取り付ける構成について、図面を参照しつつ詳細に説明する。図７、及び図８に示すように、第３センサ収納部５０は、その開口部の上流開口縁に、弾性変形可能な樹脂によって形成された上流側シール部５１を有している。上流側シール部５１は、上流側シール壁５１Ａと、上流側溝５１Ｂとを備える。上流側シール部５１は、第３センサ収納部５０の上流開口縁において、ガラス部材３２の端部と密着する。
【００６８】
上流側シール壁５１Ａは、弾性変形可能な樹脂によって、第３センサ収納部５０の上流開口縁に沿った壁状に形成されている。上流側シール壁５１Ａは、図８に示すように、ガイド部材１７の下面から、原稿搬送経路Ｒ側へ突出している。そして、上流側溝５１Ｂは、第３センサ収納部５０に対して、上流側シール壁５１Ａよりも外側、即ち、搬送方向上流側において、原稿搬送経路Ｒ側が開放された溝状に形成されている。上流側溝５１Ｂは、上流側シール壁５１Ａの基端部に沿っている。
【００６９】
そして、第３センサ収納部５０の下流開口縁においては、下流側シール部５２が、弾性変形可能な樹脂によって、下流開口縁に沿って形成されている。図７、及び図８に示すように、下流側シール部５２は、下流側シール壁５２Ａと、下流側溝５２Ｂとを備える。下流側シール部５２は、第３センサ収納部５０の下流開口縁において、ガラス部材３２の端部と密着する。
【００７０】
下流側シール壁５２Ａは、弾性変形可能な樹脂によって、第３センサ収納部５０の下流開口縁に沿った壁状に形成されている。下流側シール壁５２Ａは、図８に示すように、ガイド部材１７の下面から、原稿搬送経路Ｒ側へ突出している。尚、図８に示すように、搬送方向に沿う方向において、下流側シール壁５２Ａの厚みは、上流側シール壁５１Ａの厚みよりも薄く形成されている。
【００７１】
下流側溝５２Ｂは、第３センサ収納部５０に対して、下流側シール壁５２Ａよりも外側、即ち、搬送方向下流側において、原稿搬送経路Ｒ側が開放された溝状に形成されている。下流側溝５２Ｂは、下流側シール壁５２Ａの基端部に沿っている。下流側溝５２Ｂは、搬送方向に沿う方向における幅寸法に関し、上流側溝５１Ｂよりも小さく形成されている。更に、下流側溝５２Ｂの深さは、上流側溝５１Ｂの深さよりも浅く形成されている。
【００７２】
尚、図７に示すように、第３センサ収納部５０の下流開口縁においては、第１実施形態と同様に、取付凹部５３が形成されている。取付凹部５３には、ガラス保持部材５４が取り付けられる。ガラス保持部材５４は、当接部５４Ａと、付勢部５４Ｂとを有している。ガラス保持部材５４は、ガラス部材３２の端部と接触することで、上流側シール壁５１Ａにおける密着性を高めている。
【００７３】
次に、第３センサ収納部５０の開口部に対して、ガラス部材３２を取り付ける際の作業手順を説明する。第３センサ収納部５０の開口部に対して、ガラス部材３２を取り付ける際には、作業者は、まず、第３センサ収納部５０の下流側シール壁５２Ａに対して、搬送方向上流側から、ガラス部材３２の端縁を押し付ける。これにより、下流側シール壁５２Ａは、ガラス部材３２の端縁と接触することにより、第３センサ収納部５０の開口部に対して外側方向に弾性変形する。
【００７４】
第３センサ収納部５０の下流開口縁において、ガラス部材３２の端縁を下流側シール壁５２Ａに押し付けた状態で、作業者は、搬送方向上流側に位置するガラス部材３２の端縁を、上流側シール壁５１Ａに接触させつつ、第３センサ収納部５０の開口部を閉塞する。これにより、上流側シール壁５１Ａは、ガラス部材３２の端縁と接触することにより、第３センサ収納部５０の外側方向に弾性変形する。
【００７５】
第３実施形態に係る画像読取装置１によれば、第３センサ収納部５０の上流開口縁及び下流開口縁において、上流側シール壁５１Ａ及び下流側シール壁５２Ａが弾性変形する。この弾性変形により、ガラス部材３２の端縁に対して、上流側シール壁５１Ａ及び下流側シール壁５２Ａを密着させうる。従って、画像読取装置１によれば、第３センサ収納部５０の上流開口縁及び下流開口縁において、紙粉等の異物が第３センサ収納部５０内に進入することを抑制しうる。
【００７６】
図８に示すように、第３センサ収納部５０において、上流側シール壁５１Ａの端部は、下流側シール壁５２Ａの端部よりも原稿搬送経路Ｒ側に位置している。ガラス部材３２は、搬送方向下流側ほど下方となるように傾斜した態様で、第３センサ収納部５０の開口部を閉塞している。従って、第３実施形態に係る画像読取装置１によれば、上流側シール壁５１Ａに対して、ガラス部材３２の端縁を押し付けやすい構成となる。よって、上流開口縁及び下流開口縁におけるガラス部材３２との密着性を高めることができる。これにより、画像読取装置１は、上流開口縁及び下流開口縁における第３センサ収納部５０内への異物の進入を適切に抑制しうる。
【００７７】
更に、図８に示すように、上流側シール壁５１Ａの厚みは、下流側シール壁５２Ａの厚みよりも厚く、上流側溝５１Ｂの幅及び深さは、下流側溝５２Ｂの幅及び深さよりも大きく形成されている。よって、画像読取装置１によれば、第３センサ収納部５０の上流開口縁及び下流開口縁において、紙粉等の異物が第３センサ収納部５０内に進入することを抑制しうる。
【００７８】
（第４実施形態）
次に、上述した第１実施形態〜第３実施形態と異なる別の第４実施形態について、図面を参照しつつ詳細に説明する。尚、第４実施形態に係る画像読取装置１は、第１実施形態〜第３実施形態に係る画像読取装置１と同一の基本的構成を有しており、画像読取部３０におけるセンサ収納部の構成が相違する。従って、第１実施形態〜第３実施形態と同一の構成に関する説明は省略し、これらの相違点についてのみ、図面を参照しつつ説明する。
【００７９】
図９、及び図１０に示すように、第４実施形態に係る画像読取部３０は、イメージセンサ３１と、ガラス部材３２と、スプリング３３と、スペーサ３４と、ガイド部材１７に形成された第４センサ収納部５５と、を有する。尚、イメージセンサ３１、ガラス部材３２、スプリング３３、及びスペーサ３４については、上述した第１実施形態〜第３実施形態と基本的に同一の構成であるため、再度の説明は省略する。
【００８０】
続いて、第４センサ収納部５５の開口部に対して、ガラス部材３２を取り付ける構成について、図面を参照しつつ詳細に説明する。図９、及び図１０に示すように、第４センサ収納部５５は、その開口部の上流開口縁に、塑性変形可能な樹脂によって形成された上流側シール部５６を有している。上流側シール部５６は、上流側シール壁５６Ａと、上流側溝５６Ｂとを備える。上流側シール部５６は、第４センサ収納部５５の上流開口縁において、ガラス部材３２の端部と密着する。
【００８１】
上流側シール壁５６Ａは、塑性変形可能な樹脂によって、第４センサ収納部５５の上流開口縁に沿った壁状に形成されている。上流側シール壁５６Ａは、図１０に示すように、ガイド部材１７の下面から、原稿搬送経路Ｒ側へ突出している。そして、上流側溝５６Ｂは、第４センサ収納部５５に対して、上流側シール壁５６Ａよりも外側、即ち、搬送方向上流側において、原稿搬送経路Ｒ側が開放された溝状に形成されている。上流側溝５６Ｂは、上流側シール壁５６Ａの基端部に沿っている。
【００８２】
そして、第４センサ収納部５５の下流開口縁においては、下流側シール部５７が、塑性変形可能な樹脂によって、下流開口縁に沿って形成されている。図９、及び図１０に示すように、下流側シール部５７は、下流側シール壁５７Ａと、下流側溝５７Ｂとを備える。下流側シール部５７は、第４センサ収納部５５の下流開口縁において、ガラス部材３２の端部と密着する。
【００８３】
下流側シール壁５７Ａは、塑性変形可能な樹脂によって、第４センサ収納部５５の下流開口縁に沿った壁状に形成されている。下流側シール壁５７Ａは、図１０に示すように、ガイド部材１７の下面から、原稿搬送経路Ｒ側へ突出している。尚、図１０に示すように、搬送方向に沿う方向において、下流側シール壁５７Ａの厚みは、上流側シール壁５６Ａの厚みよりも薄く形成されている。
【００８４】
下流側溝５７Ｂは、第４センサ収納部５５に対して、下流側シール壁５７Ａよりも外側、即ち、搬送方向下流側において、原稿搬送経路Ｒ側が開放された溝状に形成されている。下流側溝５７Ｂは、下流側シール壁５７Ａの基端部に沿っている。下流側溝５７Ｂは、搬送方向に沿う方向における幅寸法に関し、上流側溝５６Ｂよりも小さく形成されている。更に、下流側溝５７Ｂの深さは、上流側溝５６Ｂの深さよりも浅く形成されている。
【００８５】
次に、第４センサ収納部５５の開口部に対して、ガラス部材３２を取り付ける際の作業手順を説明する。第４センサ収納部５５の開口部に対して、ガラス部材３２を取り付ける際には、作業者は、まず、第４センサ収納部５５の下流側シール壁５７Ａに対して、搬送方向上流側から、ガラス部材３２の端縁を押し付ける。これにより、下流側シール壁５７Ａは、ガラス部材３２の端縁と接触することにより塑性変形する。
【００８６】
第４センサ収納部５５の下流開口縁において、ガラス部材３２の端縁を下流側シール壁５７Ａに押し付けた状態で、作業者は、搬送方向上流側に位置するガラス部材３２の端縁を、上流側シール壁５６Ａに接触させつつ、第４センサ収納部５５の開口部を閉塞する。これにより、上流側シール壁５６Ａは、ガラス部材３２の端縁と接触することで塑性変形する。
【００８７】
ここで、上流側シール壁５６Ａ及び下流側シール壁５７Ａは、第４センサ収納部５５の開口部に対して、ガラス部材３２を取り付ける際に、ガラス部材３２の端縁と接触することによって塑性変形する。この上流側シール壁５６Ａ及び下流側シール壁５７Ａの塑性変形により、ガラス部材３２は、第４センサ収納部５５の上流開口縁及び下流開口縁において、上流側シール壁５６Ａ及び下流側シール壁５７Ａに対して密着する。
【００８８】
第４実施形態に係る画像読取装置１によれば、第４センサ収納部５５の上流開口縁及び下流開口縁において、上流側シール壁５６Ａ及び下流側シール壁５７Ａを塑性変形させることができる。これにより、ガラス部材３２の端縁に対して、上流側シール壁５６Ａ及び下流側シール壁５７Ａを密着させうる。従って、画像読取装置１によれば、第４センサ収納部５５の上流開口縁及び下流開口縁において、紙粉等の異物が第４センサ収納部５５内に進入することを抑制しうる。
【００８９】
図１０に示すように、第４センサ収納部５５において、上流側シール壁５６Ａの端部は、下流側シール壁５７Ａの端部よりも原稿搬送経路Ｒ側に位置している。ガラス部材３２は、搬送方向下流側ほど下方となるように傾斜した態様で、第４センサ収納部５５の開口部を閉塞している。従って、第４実施形態に係る画像読取装置１によれば、上流側シール壁５６Ａに対して、ガラス部材３２の端縁を押し付けやすい構成となる。よって、上流開口縁及び下流開口縁におけるガラス部材３２との密着性を高めることができる。これにより、画像読取装置１は、上流開口縁及び下流開口縁における第４センサ収納部５５内への異物の進入を適切に抑制しうる。
【００９０】
更に、図１０に示すように、上流側シール壁５６Ａの厚みは、下流側シール壁５７Ａの厚みよりも厚く、上流側溝５６Ｂの幅及び深さは、下流側溝５７Ｂの幅及び深さよりも大きく形成されている。従って、画像読取装置１によれば、第４センサ収納部５５の上流開口縁及び下流開口縁において、紙粉等の異物が第４センサ収納部５５内に進入することを抑制しうる。
【００９１】
以上、実施形態に基づき本発明を説明したが、本発明は上述した実施形態に何ら限定されるものではなく、本発明の趣旨を逸脱しない範囲内で種々の改良変更が可能である。例えば、上記実施形態においては、画像読取装置１のＡＤＦユニット１０に配設された画像読取部３０に適用していたが、この態様に限定されるものではない。例えば、上記実施形態におけるスキャナユニット７０において、コンタクトガラス７１を密着保持する構成として適用することも可能である。即ち、本発明は、フラットベッドタイプのスキャナ装置に適用することも可能である。
【００９２】
第１実施形態において、ガラス保持部材４３は、樹脂により弾性変形可能に形成されている。又、第３実施形態においても、ガラス保持部材５４は、樹脂により弾性変形可能に形成されている。又、上流側シール部５６及び下流側シール部５７も弾性変形可能な樹脂により形成されている。しかしながら、本発明は、これらの態様に限定されるものではない。例えば、ガラス保持部材は、搬送方向上流側又は下流側に向けてガラス部材を押圧することでガラス部材を支持するコイルバネ、及び板バネ等のバネ部材であってもよい。
【００９３】
又、第１実施形態、及び第２実施形態において、画像読取部３０は、第３実施形態における上流側溝５１Ｂ、及び下流側溝５２Ｂに相当する溝を備えていない。しかしながら、本発明は、これらの態様に限定されるものではない。例えば、センサ収納部の上流側開口縁にのみ、溝を形成してもよい。又、センサ収納部の下流側開口縁にのみ、溝を形成してもよい。
【符号の説明】
【００９４】
１    画像読取装置
５    上部カバー
１０  ＡＤＦユニット
３０  画像読取部
３１  イメージセンサ
３２  ガラス部材
４０  第１センサ収納部
４１  壁部
４２  取付凹部
４３  ガラス保持部材
Ｒ    原稿搬送経路
【図１】
0005780088.tif 000002
【図２】
0005780088.tif 000003
【図３】
0005780088.tif 000004
【図４】
0005780088.tif 000005
【図５】
0005780088.tif 000006
【図６】
0005780088.tif 000007
【図７】
0005780088.tif 000008
【図８】
0005780088.tif 000009
【図９】
0005780088.tif 000010
【図１０】
0005780088.tif 000011